(57)【特許請求の範囲】
【請求項１】
建物本体の側面に設けられるとともに前方に突出する突出部を支持してなる突出部の支持構造において、
前記建物本体は、上梁および下梁、柱から骨組みが形成された略直方体状の建物ユニットを前後左右ならびに上下方向に並設することによって形成されており、
上下に並設された建物ユニットのうち、下方の建物ユニットの上梁の側面に、前記突出部を支持するための複数のステーが、前記上梁の長さ方向に間隔をあけて、かつ前方に突出するようにして取り付けられており、
これら複数のステーの上面に、前記突出部が載置固定されており、
前記突出部は、予め組み立てられた庇であり、
当該庇は、
前記建物本体側から屋外側に向かって下り勾配となっており、かつ勾配方向先端が前記ステーの突出方向側端部よりも屋外側に位置する庇本体と、
前記庇本体の勾配方向先端付近に、吊り木を介して設けられる補助野縁と、を備えており、
前記庇は、その勾配方向上端が、前記建物本体の側面から離間して前記複数のステーの上面に載置固定されており、
前記ステーは、このステーの下面に複数設けられるとともに、前記突出部の下面を化粧するための軒天材を受ける軒天受け部を備え、当該軒天受け部は、前記ステーの下面に設けられる野縁部材を有しており、
前記補助野縁は、前記野縁部材と略等しい高さに配置され、これら野縁部材と補助野縁とに軒天材が取り付けられていることを特徴とする突出部の支持構造。
【発明の詳細な説明】
【技術分野】
【０００１】
本発明は、住宅等の建物の側面に取り付けられる庇である突出部の支持構造に関する。
【背景技術】
【０００２】
従来、予め工場で製造された複数の建物ユニットを建築現場で相互に接合するユニット式建物が利用されている。このようなユニット式建物によれば、建物の内外装等の殆ど全ての作業が工場で行われるため、建築現場での作業が軽減され、短期間で建物を完成することができる。ユニット式建物の側面には、バルコニーやフラワーボックス、シャッターボックス等の種々の形態の突出部が取り付けられる。
【先行技術文献】
【特許文献】
【０００３】
【特許文献１】特開平１１−３３６１８０号公報
【特許文献２】特開２０００−２５７３５３号公報
【発明の概要】
【発明が解決しようとする課題】
【０００４】
ところで、バルコニー等の突出部を支持する構造として、上記特許文献に記載のように、様々な技術が採用されており、それぞれの突出部を確実に支持できるように構成されている。
【０００５】
本発明の課題は、庇である突出部を支持することが可能な突出部の支持構造を提供することを目的とする。
【課題を解決するための手段】
【０００６】
請求項１に記載の発明は、例えば図１に示すように、建物本体１の側面に設けられるとともに前方に突出する突出部３０を支持してなる突出部３０の支持構造において、
前記建物本体１は、上梁（例えば上梁３ａ）および下梁（例えば下梁２ａ）、柱から骨組みが形成された略直方体状の建物ユニット（例えば上方の建物ユニット２，下方の建物ユニット３）を前後左右ならびに上下方向に並設することによって形成されており、
上下に並設された建物ユニット２，３のうち、下方の建物ユニット３の上梁３ａの側面に、前記突出部３０を支持するための複数のステー１０が、前記上梁３ａの長さ方向に間隔をあけて、かつ前方に突出するようにして取り付けられており、
これら複数のステー１０の上面に、前記突出部３０が載置固定されており、
前記突出部３０は、予め組み立てられた庇であり、
当該庇３０は、
前記建物本体１側から屋外側に向かって下り勾配となっており、かつ勾配方向先端が前記ステー１０の突出方向側端部よりも屋外側に位置する庇本体３３と、
前記庇本体３３の勾配方向先端付近に、吊り木３４ａを介して設けられる補助野縁３４と、を備えており、
前記庇３０は、その勾配方向上端が、前記建物本体１の側面から離間して前記複数のステー１０の上面に載置固定されており、
前記ステー１０は、このステー１０の下面に複数設けられるとともに、前記突出部３０の下面を化粧するための軒天材３０ａを受ける軒天受け部１４を備え、当該軒天受け部１４は、前記ステー１０の下面に設けられる野縁部材１４ｂを有しており、
前記補助野縁３４は、前記野縁部材１４ｂと略等しい高さに配置され、これら野縁部材１４ｂと補助野縁３４とに軒天材３０ａが取り付けられていることを特徴とする。
【０００７】
請求項１に記載の発明によれば、前記下方の建物ユニット３の上梁３ａの側面に形成された複数のステー１０の上面に、前記突出部３０を載置固定することで、この突出部３０を建物本体１の側面に設けることができるので、庇である突出部３０を確実に支持することが可能となる。
【００１３】
また、前記ステー１０の下面に設けられた軒天受け部１４によって、該ステー１０の下面に前記軒天材３０ａを確実に取り付けることができるので、前記突出部３０の下面を確実に化粧できる。すなわち、前記ステー１０は、前記突出部３０を支持する機能だけでなく、軒天材３０ａをステー１０の下面に確実に取り付ける機能を備えているので、機能性に優れる。
【発明の効果】
【００１６】
本発明によれば、上下に並設された建物ユニットのうち、下方の建物ユニットの上梁の側面に形成された複数のステーの上面に、突出部を載置固定することで、この突出部を建物本体の側面に設けることができるので、庇である突出部を確実に支持することが可能となる。
【図面の簡単な説明】
【００１７】
【図１】本発明に係る突出部の支持構造の一例を示す側断面図である。
【発明を実施するための形態】
【００１８】
以下、図面を参照して本発明の実施の形態について説明する。
図１は本発明に係る突出部の支持構造の一例を示す側断面図である。
図１において符号１は、建物本体を示す。
この建物本体１は、上梁および下梁、柱から骨組みが形成された略直方体状の建物ユニット（例えば上方の建物ユニット２，下方の建物ユニット３）を前後左右ならびに上下方向に並設することによって形成されている。
【００１９】
図示はしないが、前記建物ユニットは、より詳細には、４本の柱と、これらの柱の上端間同士を結合する４本の上梁（天井梁）と、柱の下端間同士を結合する４本の下梁（床梁）とを備えている。
【００２０】
前記４本の上梁は、２本の長辺上梁および長辺上梁より短い２本の短辺上梁によって構成されている。
同じく、４本の下梁は、２本の長辺下梁および長辺下梁より短い２本の短辺下梁によって構成されている。
なお、柱は正方形筒状に形成されており、上梁と下梁は、それぞれ断面コ字型に形成されている。
【００２１】
前記２本の長辺上梁には、複数の小梁が架設されており、該小梁は長辺上梁の長手方向に所定間隔で設けられている。これら小梁の下面には天井板が固定される。
また、前記２本の長辺下梁には、複数の根太が架設されており、該根太は長辺下梁の長手方向に所定間隔で設けられている。これら根太の上面には床板が固定される。
なお、柱の上端部と上梁の端部とは柱頭接合部材によって接合され、柱の下端部と下梁の端部とは柱脚接合部材によって接合されている。
【００２２】
以上のような建物ユニットを前後左右ならびに上下方向に複数並設することによって形成された建物本体１の側面に、この建物本体１の側面から前方、すなわち屋外側に突出する突出部３０が設けられている。
より詳細には、図１に示すように、上下に並設された建物ユニット２，３のうち、下方の建物ユニット３の上梁３ａの側面に、前記突出部３０を支持するための複数のステー１０が、前記上梁３ａの長さ方向に間隔をあけて、かつ前方に突出するようにして取り付けられており、これら複数のステー１０の上面に、前記突出部３０が載置固定されている。
【００２３】
ここで、前記上下に並設された建物ユニット２，３は、下方の建物ユニット３の上梁３ａの上面に、上方の建物ユニット２の下梁２ａを載置固定することによって並設配置されている。前記上方の建物ユニット２は、建物の上階に位置し、前記下方の建物ユニット３は、建物の下階に位置する。
【００２４】
また、前記建物ユニット２，３の外周側には、外壁材２ｂ，３ｂがそれぞれ取り付けられている。図１に示す例では、上方の建物ユニット２の外壁材２ｂに開口部が形成された状態となっており、この開口部に窓サッシ２ｃが取り付けられている。
【００２５】
前記突出部３０の奥行き方向と直交する幅方向の寸法（幅寸法）は、適宜変更可能であり、幅寸法が長尺な突出部を建物本体１の側面に設ける際は、前記上梁３ａを備える下方の建物ユニット３を前後または左右に複数並設して、突出部の長尺な幅寸法に対応させる。
また、上梁３ａに取り付けられるステー１０の数も、突出部３０の幅寸法に応じて増減させるものとする。ステー１０の数は、少なくとも２本が前記上梁３ａに取り付けられている。
なお、前記突出部３０の奥行き方向とは、例えば図１を参照すると、建物本体１に向かう方向を指している。
【００２６】
前記ステー１０は、図１に示すように、ステー本体１１と、フランジ部１２と、ガイドピン１３と、軒天受け部１４とを備えている。
【００２７】
前記ステー本体１１は、前方すなわち建物本体１側から屋外側に向かって突出する水平材であり、いわゆる腕木としての役割を持つ。
なお、このステー本体１１は、図示はしないが、断面略コ字型に形成されており、上面板と、下面板と、側面板とを有する。
なお、このステー本体１１は、高さ寸法や幅寸法、長さ寸法を変更しても良い。
【００２８】
前記フランジ部１２は、前記下方の建物ユニット３の上梁３ａの側面に接合される板状体であり、前記ステー本体１１の建物本体１側の端部に、例えば溶接等によって接合されることにより一体的に設けられている。
また、このフランジ部１２の屋外側面の縦方向および横方向の長さは、前記ステー本体１１の高さ寸法および幅寸法と略等しいか、ステー本体１１の高さ寸法および幅寸法よりも広くなるように設定されている。したがって、突出部の種類によって使用されるステー本体１１の高さ寸法や幅寸法に違いがあっても、フランジ部１２の大きさは統一されており、突出部の種類に構わず共用できる。
また、フランジ部１２には、このフランジ部１２を厚さ方向に貫通するボルト孔１２ａが複数形成されている。これら複数のボルト孔１２ａは、前記ステー本体１１の上面板と下面板と側面板とで囲まれる位置に設けられている。
【００２９】
前記ガイドピン１３は、前記ステー本体１１の上面に、上方に突出するようにして複数設けられている。
【００３０】
前記軒天受け部１４は、前記突出部３０の下面を化粧するための軒天材３０ａを受けるものであり、前記ステー本体１１の下面に複数設けられている。
この軒天受け部１４は、前記ステー本体１１の下面に固定される固定板部と、この固定他部の端部から垂設される２枚の野縁固定板部とからなる野縁固定金物１４ａと、この野縁固定金物１４ａに取り付けられる野縁部材１４ｂとを有する。
なお、軒天材３０ａは、野縁固定金物１４ａを介してステー１０の下面に設けられた野縁部材１４ｂに取り付けられている。
なお、突出部の種類によって使用されるステー本体１１の高さ寸法や幅寸法に違いがあっても、単に必要な部位に、必要な数の軒天受け部１４を設ければよいので、軒天受け部１４は統一されており、突出部の種類に構わず共用できる。
【００３１】
なお、前記２枚の野縁固定板部は、野縁部材を、突出部３０の奥行き方向と、幅方向に沿って配置できるような向きで、前記固定板部の端部に設けられている。
本実施の形態の野縁部材１４ｂは、図１に示すように、突出部３０の幅方向に沿って配置されているが、突出部３０の奥行き方向に沿って配置しても良いものとする。
【００３２】
また、前記下方の建物ユニット３の上梁３ａ側面には、図１に示すように、前記フランジ部１２が当接されて接合される接合プレート４が取り付けられている。なお、この接合プレート４は、前記上梁３ａに対して、例えば溶接したり、ボルト留めしたり、または溶接とボルト留めを併用したりすることによって確実かつ強固に取り付けられているものと
する。
なお、前記接合プレート４は、前記ステー１０が取り付けられる部分に対応して上梁３ａの長さ方向に間隔をあけて複数設けられている。また、これに限られず、例えば、接合プレート４を前記上梁３ａの長さ方向に沿って長尺な部材として、該上梁３ａに沿って設けられるようにしても良いものとする。
【００３３】
この接合プレート４には、前記フランジ部１２に形成された複数のボルト孔１２ａに対応する複数のボルト穴４ａが形成されている。なお、これら複数のボルト穴４ａは、前記接合プレート４を貫通しない深さに設定されている。
【００３４】
そして、前記ステー１０は、図１に示すように、前記フランジ部１２と接合プレート４とをボルト５接合することによって前記下方の建物ユニット３の上梁３ａ側面に取り付けられている。
なお、本実施の形態のボルト５は、いわゆるハイテンションボルトが用いられている。このハイテンションボルトは、高張力の鋼で作られた強度の高いボルトであり、フランジ部１２と接合プレート４との接合状態を向上させることができる。
【００３５】
本実施の形態において、前記突出部は、図１に示すように庇３０が採用されている。
また、庇３０である突出部は、予め組み立てられた状態で、前記複数のステー１０の上面に載置固定される。
【００４１】
庇３０は、図１に示すように、支柱３１と、角度調整支持材３２と、庇本体３３と、補助野縁３４とを備えている。この庇３０は、予め工場等で組み立てられているものとする。
【００４２】
前記支柱３１は、建物本体１側に配置されるとともに、前記ステー１０の上面に立設固定されている。
この支柱３１の上面板は、庇３０の勾配に合わせて傾斜している。また、この支柱３１には補強用のスチフナー３１ａが一体的に設けられている。
【００４３】
前記角度調整支持材３２は、屋外側に配置されるとともに、前記ステー１０の先端部上面に載置固定されている。
この角度調整支持材３２の上面板は、庇３０の勾配に合わせて傾斜しており、前記支柱３１の上面板の延長線上に配置されている。
【００４４】
前記支柱３１および角度調整支持材３２の下面には、それぞれ、前記ステー１０の上面に設けられたガイドピン１３が挿入されるピン挿入孔（図示せず）が複数形成されている。したがって、前記庇３０を、前記複数のステー１０上面に、前記ステー１０の上面に設けられた複数のガイドピン１３，１３を、前記ピン挿通孔に挿入するようにして載置できるようになっている。
また、前記支柱３１および角度調整支持材３２と、ステー１０とは、ボルト１３ａおよびナット１３ｂによって確実かつ強固に接合されている。
【００４５】
前記庇本体３３は、前記支柱３１および角度調整支持材３２間に架設されており、これら支柱３１および角度調整支持材３２の上面板の傾斜に応じて傾斜している。この庇本体３３の勾配方向先端は、前記ステー１０の突出方向側端部よりも屋外側に位置するとともに、該ステー１０と略等しい高さに配置されている。
また、この庇本体３３の野地板上面には複数の屋根材３３ａが取り付けられており、勾配方向先端面には鼻隠部材３３ｂが取り付けられている。また、この鼻隠部材３３ｂの屋
外側面には樋部材３３ｃが取り付けられている。
【００４６】
前記補助野縁３４は、前記庇本体３３の勾配方向先端付近に、吊り木３４ａを介して設けられており、前記ステー１０の下面に設けられる野縁部材１４ｂと略等しい高さに配置されている。前記軒天材３０ａは、これら野縁部材１４ｂと補助野縁３４とに取り付けられている。
【００４７】
以上の庇３０は、予め組み立てられた状態であるため、現場に輸送された後は、クレーン等により吊り上げて、前記複数のステー１０の上面に載置し、その後、前記ボルト１３ａおよびナット１３ｂ等で固定することによって施工が進められる。
したがって、現場では、前記ステー１０を、前記下方の建物ユニット３の上梁３ａに予め取り付けておくようにする。
【００４８】
本実施の形態によれば、前記下方の建物ユニット３の上梁３ａの側面に形成された複数のステー１０の上面に、前記庇３０を載置固定することで、この庇３０を建物本体１の側面に設けることができるので、庇３０を確実に支持することが可能となる。
【００４９】
また、前記ステー１０は、前記下方の建物ユニット３の上梁３ａ側面に取り付けられているので、前記ステー１０を、前記上方の建物ユニット２の下梁２ａ側面に取り付ける場合に比して、前記庇３０を低い高さに配置することができる。
【００５０】
また、前記複数のボルト孔１２ａが形成されたフランジ部１２を、前記複数のボルト穴４ａが形成された接合プレート４に当接させてボルト５によって接合できるので、前記複数のステー１０を、前記下方の建物ユニット３の上梁３ａ側面に確実かつ強固に固定することができる。
これによって、前記複数のステー１０の上面に載置固定される庇３０を確実に支持することができる。
【００５１】
また、前記庇３０を、前記複数のステー１０上面に、前記ステー１０の上面に設けられた複数のガイドピン１３，１３を、前記ピン挿通孔に挿入するようにして載置することができるので、前記庇３０を案内しながら正確に載置することができる。
すなわち、前記ステー１０は、前記庇３０を支持する機能だけでなく、庇３０を正確に載置させるための機能を備えているので、機能性に優れる。
【００５２】
また、前記ステー１０の下面に設けられた軒天受け部１４によって、該ステー１０の下面に前記軒天材３０ａを確実に取り付けることができるので、前記庇３０の下面を確実に化粧できる。
すなわち、前記ステー１０は、前記庇３０を支持する機能だけでなく、軒天材３０ａをステー１０の下面に確実に取り付ける機能を備えているので、機能性に優れる。
【００５３】
また、予め組み立てられた状態の庇３０を、前記複数のステー１０の上面に載置固定できるので、庇３０の設置作業を容易かつ短期間に行うことができる。
すなわち、例えば工場等で庇３０を予め組み立てておき、現場に輸送されてきた庇３０を、前記複数のステー１０の上面に載置固定すれば、現場での作業工程を大幅に省略することができる。
【符号の説明】
【００５４】
１  建物本体
２  上方の建物ユニット
３  下方の建物ユニット
３ａ  上梁
４  接合プレート
４ａ  ボルト穴
５  ボルト
１０  ステー
１１  ステー本体
１２  フランジ部
１２ａ  ボルト孔
３０  庇（突出部）
【図１】
0005758651.tif 000002